(57)【要約】【課題】内容物が円滑に注ぎ出せるにするとともに、スパウト内の詰まり等が発生しない様にする。【解決手段】注出筒３の一端に出口９を設け、その他端に鍔部５を連設したスパウト本体１と；該注出筒に摺動可能に嵌着されたキャップ２０と；前記キャップの天板２３を貫通する注出口２１と；該注出筒の内側に配設され、閉蓋時に前記注出口を閉鎖する栓体８と；該栓体を前記注出筒の内面に連結する支持片１１と、を備えたプッシュプル注出キャップであって；前記栓体８は、前記注出筒３の出口９より突出する中央位置に配設され；前記支持片１１は、周方向に間隔をおいて配設された複数の細状傾斜支持片である。【選択図】  図１
2004284619.tif 000002
【特許請求の範囲】
【請求項１】
注出筒に摺動可能に嵌着されたキャップと；前記キャップの天板を貫通する注出口と；該注出筒の内側に配設され、閉蓋時に前記注出口を閉鎖する栓体と；該栓体を前記注出筒の内面に連結する支持片と、を備えたプッシュプル注出キャップであって；
前記支持片は、周方向に間隔をおいて配設された複数の細状傾斜支持片であることを特徴とするプッシュプル注出キャップ。
【請求項２】
前記栓体の軸方向高さは、前記支持片の軸方向高さの１／２以下であることを特徴とする請求項１記載のプッシュプル注出キャップ。
【請求項３】
注出筒の一端に出口を設け、その他端に鍔部を連設したスパウト本体と；該注出筒に摺動可能に嵌着されたキャップと；前記キャップの天板を貫通する注出口と；該注出筒の内側に配設され、閉蓋時に前記注出口を閉鎖する栓体と；該栓体を前記注出筒の内面に連結する支持片と、を備えたプッシュプル注出キャップであって；
前記栓体は、前記注出筒の出口より突出する中央位置に配設され；
前記支持片は、周方向に間隔をおいて配設された複数の細状傾斜支持片であることを特徴とするプッシュプル注出キャップ。
【請求項４】
栓体は、閉蓋時にキャップの天板内面に当接し、注出口を閉鎖することを特徴とする請求項１、２，又は、３記載のプッシュプル注出キャップ。
【請求項５】
栓体は、閉蓋時にキャップの注出口に挿入され該注出口を閉鎖することを特徴とする請求項１、２，又は、３記載のプッシュプル注出キャップ。
【発明の詳細な説明】
【０００１】
【発明の属する技術分野】
この発明は、食品、洗剤、等が充填される袋体の開口部に溶着される、注出キャップに関するものであり、更に述べると、キャップを摺動させて、注出口の開閉を行うプッシュプル注出キャップに関するものである。
【０００２】
【従来の技術】
従来、キャップを摺動させて注出口の開閉を行うものとして、リフト式二重キャップがある。このキャップは、ボトル口部に螺合せしめる下キャップの天板部に筒状部と、その筒状部内中央に栓体とを突出形成し、この天板部の前記筒状部と栓体との間に所要数個の流出口を設け、又、前記筒状部壁を挟持するような状態に筒状部に嵌合せしめる内外筒を有する上キャップを設け、この上キャップと下キャップの中央栓体との間隙を前記の流出口に連通せしめるとともに、上キャップの上端に下キャップの栓体で開閉口する注出口を設け、上キャップの内筒外側下部には特に下キャップの内壁に密接するフリクション突条部を形成し、開栓時に上キャップの外筒下部内側に形成したアンダーカットと、下キャップ筒状上部外側のアンダーカットとを係止するようにしている（例えば、特許文献１、参照）。
【０００３】
【特許文献１】実開昭４９−７７０５７号公報。
【０００４】
【発明が解決しようとする課題】
従来例では、キャップを摺動させて注出口を開くと、容器内の流体は栓体と下キャップの筒状部との間の下流路、更には、該栓体とキャップの内筒との間の上流路、を通って注出口から放出される。
しかし、栓体は、筒状部の軸心上に位置する棒状体であり、しかも、その直径は、注出口に挿入できる大きさに形成されているので、前記下流路の横断面積は、筒状部の横断面積から棒状体の横断面積を引いた値となり、又、その上流路の横断面積は、内筒の横断面積から棒状体の横断面積を引いた値となる。そのため、前記両流路は、狭いものとなるが、内筒の直径は、筒状部の直径より小さいので、上流路は下流路に比べ、一段と狭いものとなる。
又、前記栓体は、支持片を介して筒状部の内面下部に固定されているが、この支持片が複数であり、且つ、水平板状なので、この支持片の位置する部分の下流路の横断面は、更に小さくなり、この部分の流路は、更に狭くなる。
【０００５】
この様に流路が狭くなると、流体のスムーズな注ぎ出しが困難となるが、特に、粘度の高い内容物、例えば、ゼリー状の飲料、シャンプー、液体みそ、などの場合には、その困難性は、更に増大すると共に、該内容物が流路に詰まったり、又は、液戻りが悪くなる、等の問題が発生する。
【０００６】
この発明は、上記事情に鑑み、内容物が円滑に注ぎ出せる様にすることを目的とする。他の目的は、注出筒内の詰まり等が発生しない様にすることである。
【０００７】
【課題を解決するための手段】
この発明は、注出筒に摺動可能に嵌着されたキャップと；前記キャップの天板を貫通する注出口と；該注出筒の内側に配設され、閉蓋時に前記注出口を閉鎖する栓体と；該栓体を前記注出筒の内面に連結する支持片と、を備えたプッシュプル注出キャップであって；前記支持片は、周方向に間隔をおいて配設された複数の細状傾斜支持片であることを特徴とする。
この発明の栓体の軸方向高さは、前記支持片の軸方向高さの１／２以下であることを特徴とする。
【０００８】
この発明は、注出筒の一端に出口を設け、その他端に鍔部を連設したスパウト本体と；該注出筒に摺動可能に嵌着されたキャップと；前記キャップの天板を貫通する注出口と；該注出筒の内側に配設され、閉蓋時に前記注出口を閉鎖する栓体と；該栓体を前記注出筒の内面に連結する支持片と、を備えたプッシュプル注出キャップであって；  前記栓体は、前記注出筒の出口より突出する中央位置に配設され；前記支持片は、周方向に間隔をおいて配設された複数の細状傾斜支持片であることを特徴とする。
【０００９】
この発明の栓体は、閉蓋持にキャップの天板内面に当接し、注出口を閉鎖することを特徴とする。この発明の栓体は、閉蓋持にキャップの注出口に挿入され該注出口を閉鎖することを特徴とする。
【００１０】
【発明の実施の形態】
本発明者は、栓体が棒状体であり、該栓体を保持する複数の支持片が水平状に張設されていることが、流路の幅を狭くし、急激な流出抵抗発生の原因になっている、と考えた。そこで、支持片として、細状傾斜支持片、即ち、周方向に間隔をおいて配設され、内容物流出方向に沿った方向に設けられ、栓体から末広がり状に傾斜させて注出筒の内壁に固定されている支持片、を用いることにより、急激な流出抵抗の発生を防止するとともに、従来例の水平の支持片に比べ、流体抵抗が小さくなるようにした。
又、栓体を、従来例より短く、例えば、支持片の軸方向の長さの１／２以下、にすることにより、従来例に比べて大きな横断面積の流路を確保することができる様にし、流体抵抗の減少を図った。
【００１１】
【実施例】
この発明の第１実施例を図１〜図５により説明する。
スパウトは、ポリエチレン、ポリプロピレンなどの合成樹脂により射出成形されており、スパウト本体１とキャップ２０とを備えている。
【００１２】
スパウト本体１は、注出筒３と、該注出筒３の後端部に設けられ、パウチが溶着される鍔部５と、を備えている。
注出筒３の外周面の下部側には、ストッパ６が突設され、又、その上端部側には、係止部７が設けられている。
【００１３】
注出筒３の軸心３ａ上には、栓体８が配設されている。この栓体８は注出筒３の出口９より突出しているが、該栓体８の直径は、必要に応じて適宜選択されるが、少なくともキャップ２０の注出口２１の径より大きく形成される。
栓体８の表面中央には、前記注出口２１の径より小さい凹部１０が設けられている。
【００１４】
栓体８は、細状傾斜支持片１１を介して注出筒３の内壁３ｂに連結されている。この支持片１１は、栓体８側から鍔部５側に向かって広がるように伸びており、その下端部側は、円弧状に形成されている。
【００１５】
細状傾斜支持片１１は、周方向に等間隔をおいて４本設けられており、その下端部は、注出筒３の内壁３ｂの略中腹部に固定されている。この支持片１１の取付位置、本数、形状等は必要に応じて適宜選択される。
【００１６】
キャップ２０は、天板２３と、該天板２３の内面２３ａに立設された内筒２５と、該内筒２５と同心状に設けられた外筒２６と、を備えている。この両筒２５，２６は、スパウト本体１の注出筒３を挟持している。
【００１７】
天板２３の表面中央部には、断面椀状の液垂れ防止部２２が設けられ、その中央部には注出口２１が貫通して設けられている。この注出口２１は栓体収容部２７と連通しており、この栓体収容部２７に栓体８が挿着されることにより、注出口２１が閉じられる。内筒２５の先端部には、シール部２５ａが設けられ、又、外筒２６の中間部には、注出筒３の係止部７に係合する係合部２６ａが設けられている。
【００１８】
次に本実施例の作動について説明する。
スパウト付きパウチＰには、流体物、例えば、ゼリー状の飲料３０、が充填されている。この飲料３０を飲むときには、キャップ２０を押し上げる。そうすると、キャップ２０は摺動し、注出口２１が栓体１８から離れて開蓋すると共に、外筒２６の係合部２６ａは注出筒３の係止部７に係止する。
【００１９】
この時、キャップ２０の内筒２５は、シール部２５ａを注出筒３の内壁３ｂに当接させながら摺動する。
この状態で、図６に示すように、パウチＰを傾けると、パウチＰ内のゼリー状の飲料３０は、鍔部５に形成されている流路３２，注出筒３内の流路３３，内筒２５内の流路３４、を通って注出口２１から放出される。
【００２０】
この時、流路３２内には、流れの支障となるものは存在せず、又、流路３３，３４内には、４本の細状傾斜支持片１１が存在するが、この支持片１１は、細く、かつ、栓体８側から鍔部５側に向かって内容物流出方向に沿って広がるように伸びているので、流路３３，３４の横断面積も従来例に比べ大幅に大きくなり、また、流体抵抗も急激に大きくなることはない。そのため、前記飲料前記飲料３０はスパウト内に詰まったりすることなく、円滑に放出される。
【００２１】
前記飲料３０を飲んだ後、パウチ３０を元の垂直状態に戻し、キャップ２０を押し下げ、スパウトを図１の状態にする。
この時、流路３２〜３４中の飲料３０は、迅速にパウチＰ内に流れ込むとともに、栓体８は、栓体収容部２７に嵌着し天板２３の内面２３ａに当接するので、注出口２１は閉鎖される。外筒２６の下端は、ストッパ６に当接する。
【００２２】
なお、細状傾斜支持片１１は、弾性があるため、閉蓋時、栓体８は天板２３の内面２３ａに押しつけられるので、シール性が向上する。そのため、パウチＰを倒しても前記飲料３０が漏出することはない。
【００２３】
この発明の第２実施例を図６により説明するが、図１〜図５と同一図面符号はその名称も機能も同じである。
本実施例と第１実施例との相違点は、注出口４１の直径が第１実施例の注出口２１のそれより大きく形成され、又、閉蓋時には、栓体４８が前記注出口４１に挿着されて、注出口４１を閉じることである。
【００２４】
この発明の実施例は、上記に限定されるものではなく、例えば、このプッシュプル注出キャップは、容器（パウチ）に溶着する代わりに、容器、例えば、ペットボトルや硝子瓶の口部に螺着しても良い。
又、栓体の軸方向高さは、支持片の軸方向の高さの１／２以下に形成しても良い。
【００２５】
【発明の効果】
この発明は、支持片が周方向に間隔をおいて配設された複数の細状傾斜支持片であるので、従来例の水平状の支持片に比べ注出筒内の流路の横断面積を大きくすることができるとともに、急激な内容物流出抵抗の発生を防止することができる。そのため、内容物をスムーズに注ぎ出すことができると共に、内容物が注出筒内に詰まることもない。
この発明は、栓体が注出筒の出口から突出する中央位置に設けられ、支持片が周方向に間隔をおいて配設された複数の細状傾斜支持片であるので、従来例に比べ注出筒内の流路の横断面積を大きくすることができる。
そのため、内容物をスムーズに注ぎ出すことができると共に、内容物が注出筒内に詰まることもない。
【図面の簡単な説明】
【図１】本発明の第１実施例を示す正面一部縦断面図である。
【図２】キャップの縦断面図である。
【図３】スパウト本体の要部平面図である。
【図４】スパウト本体の縦断面図である。
【図５】注出時の状態を示す縦断面図である。
【図６】本発明の第２実施例を示す正面一部縦断面図である。
【符号の説明】
１    スパウト本体
３    注出筒
８    栓体
１１  細状傾斜支持片
２０  キャップ
２１  注出口
２３  天板
３２  流路
３３  流路
３４  流路
【図１】
2004284619.tif 000003
【図２】
2004284619.tif 000004
【図３】
2004284619.tif 000005
【図４】
2004284619.tif 000006
【図５】
2004284619.tif 000007
【図６】
2004284619.tif 000008